(57)【特許請求の範囲】
【請求項１】
ユーザ装置の移動性パラメータを報告する方法であって、
前記ユーザ装置が、前記ユーザ装置自体のセル変化情報を記録してネットワーク側に報告するステップと、
前記ユーザ装置が、前記ネットワーク側によって前記セル変化情報に基づいて確定された、最適化されたパラメータを受信し、かつ前記最適化されたパラメータに基づいてパラメータを設定するステップと、を含み、
前記セル変化情報は、
前記ユーザ装置のプリセット時間内での切り替え回数とセル再選択回数との和と、
前記ユーザ装置のプリセット時間内での切り替え回数とセル再選択回数との和がプリセット回数閾値を超えるかどうかと、
前記ユーザ装置の切り替えとセル再選択の頻度と、
前記ユーザ装置の切り替えとセル再選択の頻度に対応する頻度レベルと、
前記ユーザ装置の切り替えとセル再選択の頻度がプリセット頻度閾値を超えるかどうかと、
前記ユーザ装置が経過したセルの識別子と当該セル内での常駐時間とを少なくとも１つ含むことを特徴とする、前記方法。
【請求項２】
前記プリセット時間とプリセット回数閾値、又は前記頻度レベル、又は前記頻度閾値は、
前記ユーザ装置が、前記ネットワーク側から送信された、前記プリセット時間とプリセット回数閾値、又は前記頻度レベル、又は前記プリセット頻度閾値がキャリーされたシステムメッセージ、無線リソース制御（ＲＲＣ）シグナリング、又はメディアアクセス層制御要素（ＭＡＣ  ＣＥ）を受信して、対応する設定を行う方式と、
前記ユーザ装置が、前記ネットワーク側と事前に、前記プリセット時間とプリセット回数閾値、又は前記頻度レベル、又は前記プリセット頻度閾値を約束する方式のうちの少なくともいずれか一つによって設定されることを特徴とする
請求項１に記載の方法。
【請求項３】
前記ユーザ装置が、前記ユーザ装置自体のセル変化情報をネットワーク側に報告することは、
前記ユーザ装置が、前記セル変化情報を、無線リソース制御（ＲＲＣ）シグナリング又はメディアアクセス層制御要素（ＭＡＣ  ＣＥ）にキャリーして、前記ネットワーク側に報告することを含むことを特徴とする
請求項１に記載の方法。
【請求項４】
ユーザ装置の移動性パラメータを報告する方法であって、
ネットワーク側が、前記ユーザ装置によって記録されて送信されたセル変化情報を受信し、前記セル変化情報に基づいて前記ユーザ装置の移動速度レベルを確定し、かつ前記移動速度レベルに基づいて前記ユーザ装置のパラメータを最適化し、前記最適化されたパラメータを前記ユーザ装置に送信することを含み、
前記セル変化情報は、
前記ユーザ装置のプリセット時間内での切り替え回数とセル再選択回数との和と、
前記ユーザ装置のプリセット時間内での切り替え回数とセル再選択回数との和がプリセット回数閾値を超えるかどうかと、
前記ユーザ装置の切り替えとセル再選択の頻度と、
前記ユーザ装置の切り替えとセル再選択の頻度に対応する頻度レベルと、
前記ユーザ装置の切り替えとセル再選択の頻度がプリセット頻度閾値を超えるかどうかと、
前記ユーザ装置が経過したセルの識別子と当該セル内での常駐時間とを少なくとも１つ含むことを特徴とする、前記方法。
【請求項５】
前記セル変化情報に基づいて、前記ユーザ装置の移動速度レベルを確定することは、
前記ネットワーク側が、前記ユーザ装置によって報告されたプリセット時間内での切り替えとセル再選択の回数の和に基づいて、前記ユーザ装置の移動速度レベルを確定すること、又は、
前記ネットワーク側が、前記ユーザ装置によって報告されたプリセット時間内での切り替えとセル再選択回数の和がプリセット回数閾値を超えるかどうかを示す情報に基づいて、前記ユーザ装置の移動速度レベルを確定すること、又は、
前記ネットワーク側が、前記ユーザ装置によって報告された切り替えとセル再選択の頻度に基づいて、前記ユーザ装置の移動速度レベルを確定すること、又は、
前記ネットワーク側が、前記ユーザ装置によって報告された切り替えとセル再選択の頻度に対応する頻度レベルに基づいて、前記ユーザ装置の移動速度レベルを確定すること、又は、
前記ネットワーク側が、前記ユーザ装置によって報告された切り替えとセル再選択の頻度がプリセット頻度閾値を超えるかどうかを示す情報に基づいて、前記ユーザ装置の移動速度レベルを確定すること、又は、
前記ネットワーク側が、前記ユーザ装置によって報告されたその経過したセルの識別子と対応するセルでの常駐時間に基づいて、前記ユーザ装置の移動速度レベルを確定することを含むことを特徴とする
請求項４に記載の方法。
【請求項６】
前記最適化されたパラメータを前記ユーザ装置に送信することは、
前記ネットワーク側が、最適化されたパラメータをシステムメッセージ、無線リソース制御（ＲＲＣ）シグナリング又はメディアアクセス層制御要素（ＭＡＣ  ＣＥ）にキャリーして前記ユーザ装置に送信することを含むことを特徴とする
請求項４に記載の方法。
【請求項７】
ユーザ装置であって、
前記ユーザ装置自体のセル変化情報を記録してネットワーク側に報告するように設定される報告ユニットと、
前記ネットワーク側によって、前記セル変化情報に基づいて確定された、最適化されたパラメータを受信するように設定される受信ユニットと、
前記最適化されたパラメータに基づいて、前記ユーザ装置に対してパラメータ設定を行うように設定される設定ユニットと、を備え、
前記セル変化情報は、
前記ユーザ装置のプリセット時間内での切り替え回数とセル再選択回数との和と、
前記ユーザ装置のプリセット時間内での切り替え回数とセル再選択回数との和がプリセット回数閾値を超えるかどうかと、
前記ユーザ装置の切り替えとセル再選択の頻度と、
前記ユーザ装置の切り替えとセル再選択の頻度に対応する頻度レベルと、
前記ユーザ装置の切り替えとセル再選択の頻度がプリセット頻度閾値を超えるかどうかと、
前記ユーザ装置が経過したセルの識別子と当該セル内での常駐時間とを少なくとも１つ含むことを特徴とする、前記ユーザ装置。
【請求項８】
前記報告ユニットは、さらに、前記セル変化情報を無線リソース制御（ＲＲＣ）シグナリング又はメディアアクセス層制御要素（ＭＡＣ  ＣＥ）にキャリーして、前記ネットワーク側に報告するように設定されることを特徴とする
請求項７に記載のユーザ装置。
【請求項９】
ユーザ装置から記録されて送信されたセル変化情報を受信するように設定される受信ユニットと、
前記セル変化情報に基づいて、前記ユーザ装置の移動速度レベルを確定するように設定される確定ユニットと、
前記移動速度レベルに基づいて、前記ユーザ装置のパラメータを最適化するように設定される最適化ユニットと、
前記最適化されたパラメータを、前記ユーザ装置に送信するように設定される送信ユニットと、を備え、
前記確定ユニットは、さらに、
前記ユーザ装置によって報告されたプリセット時間内での切り替えとセル再選択回数の和に基づいて、前記ユーザ装置の移動速度レベルを確定し、又は、
前記ユーザ装置によって報告されたプリセット時間内に生じた切り替えとセル再選択回数の和がプリセット回数閾値を超えるかどうかを示す情報に基づいて、前記ユーザ装置の移動速度レベルを確定し、又は、
前記ユーザ装置によって報告された切り替えとセル再選択の頻度に基づいて、前記ユーザ装置の移動速度レベルを確定し、又は、
前記ユーザ装置によって報告された切り替えとセル再選択の頻度に対応する頻度レベルに基づいて、前記ユーザ装置の移動速度レベルを確定し、又は、
前記ユーザ装置によって報告された切り替えとセル再選択の頻度がプリセット頻度閾値を超えるかどうかを示す情報に基づいて、前記ユーザ装置の移動速度レベルを確定し、又は、
前記ユーザ装置によって報告されたその経過したセルの識別子と対応するセルでの常駐時間に基づいて、前記ユーザ装置の移動速度レベルを確定するように設定されることを特徴とする、ネットワーク装置。
【請求項１０】
前記送信ユニットは、さらに、最適化された前記ユーザ装置の移動性関連パラメータを、システムメッセージ、無線リソース制御（ＲＲＣ）シグナリング又はメディアアクセス層制御要素（ＭＡＣ  ＣＥ）にキャリーして、前記ユーザ装置に送信するように設定されることを特徴とする
請求項９に記載のネットワーク装置。
【請求項１１】
前記ユーザ装置の移動性パラメータを報告するシステムであって、
請求項７乃至８のいずれか１項に記載の前記ユーザ装置、及び請求項９乃至１０のいずれか１項に記載の前記ネットワーク装置を含むシステム。
【発明の詳細な説明】
【技術分野】
【０００１】
本発明は、ユーザ装置（Ｕｓｅｒ  Ｅｑｕｉｐｍｅｎｔ：以下、ＵＥと称する）の移動性パラメータを報告する技術に関し、特にＵＥの移動性パラメータを報告する方法及びシステム、並びにＵＥ及びネットワーク装置に関する。
【背景技術】
【０００２】
人々の生活水準の緩やかな向上に伴い、通信に対する需要が日に日に増加しており、且つその中の大部分がより個性化する需要である。これらの需要の出現及び実現に伴い、ＵＥの設計が大画面のスマートＵＥである新しい発展傾向を示している。
【０００３】
スマートＵＥは、ユーザのために、ウェブサーフィンからソフトウェアの随意的なインストール及びアンインストールまでの様々なサービスを提供することができ、それによってＵＥのアプリケーションサービスがより完全になり、ユーザの生活が多彩になる。しかし、スマートＵＥの広範な応用に伴い、ＵＥ自体の欠点及び既存のネットワーク側に対する影響がますます顕著となる。
【０００４】
スマートＵＥ自体に関し、その消費電力が非常に大きく、待機と使用時間がすべて比較的制限され、ネットワークに関し、スマート端末の大規模な応用がネットワークに非常に大きなシグナリングとリソースの使用圧力をもたらした。前記現象の発生理由は、主にスマートＵＥの操作システムのフォアグラウンドとバックグラウンドにいつも様々なアプリケーションプログラムが実行されており、これらのアプリケーションプログラムが不定期的にネットワークへデータを送信し、又はネットワークからデータを受信することである。スマートＵＥに対して、データ送信の遅延を減少させてユーザ体験をよりよく確保することができるために、それが一回のデータの送信又は受信を完了した後、無線リソース制御（Ｒａｄｉｏ  Ｒｅｓｏｕｒｃｅ  Ｃｏｎｔｒｏｌ：以下、ＲＲＣと称する）接続状態をより長い時間維持することにより、消費電力が増加することになる。しかしながら、スマートＵＥの接続状態の維持時間がより短い場合（電力を節約するために）、データを不定期的に送信及び受信するため、スマートＵＥは、頻繁にランダムアクセスとＲＲＣ接続確立過程を開始する必要がある。ＵＥのＲＲＣ接続状態の維持時間がより長い場合、多すぎる切り替えを起こす可能性があり、このようにネットワーク側のシグナリング圧力とリソース制御の使用圧力を大きく増加する。
【０００５】
したがって、スマートＵＥの待機と使用時間を可能な限り長く維持するとともに、ネットワークのシグナリングとリソースの使用圧力を考慮することができるために、スマートＵＥが一回のデータ送信又は受信動作を完了した後にＲＲＣ接続状態を維持する時間の長さを合理的に制御し、即ち両者の平衡点を見つける必要がある。
【０００６】
関連するシミュレーションと解析により、スマートＵＥの移動速度が前記ＲＲＣ接続状態と大きな関係があることがわかる。運動速度がより低い場合、スマートＵＥは、相対的に長くＲＲＣ接続状態を維持することができる。このようにＵＥは、合理的な非接続受信機能パラメータを設定することにより、消費電力を減少することができ、同時により低いシグナリングとリソースのオーバーヘッド（切り替えの発生確率が非常に低い）を維持することができる。運動速度がより高い場合、スマートＵＥは、相対的に短いＲＲＣ接続状態を維持することができ、このようにＵＥは、合理的な非接続受信機能パラメータを設定することにより、ＵＥが消費電力を節約することができ、同時にシグナリングとリソースのオーバーヘッド（セルの再選択で切り替え動作を代替する）を減少することができる。
【０００７】
したがって、ネットワーク側は、スマートＵＥの移動速度の関連情報を把握する必要があり、これによりＵＥがＲＲＣ接続状態を維持する時間の長さを合理的に制御する。残念ながら、現在ＵＥがＲＲＣ接続状態を維持する時間の長さを合理的に制御することに関する参考技術がない。
【発明の概要】
【発明が解決しようとする課題】
【０００８】
上記事情に鑑みて、本発明の主な目的は、ＵＥによって報告されるＵＥ自体のセルに関連する情報に基づいてＵＥの移動状態を確定することにより、ＵＥの移動性関連パラメータを調整することができ、ＵＥがＲＲＣ接続状態時間を合理的に維持するようにすることにある。
【課題を解決するための手段】
【０００９】
前記目的を達成するために、本発明の技術的スキームは、次のように実現される。
【００１０】
ＵＥの移動性パラメータを報告する方法は、
ＵＥがＵＥ自体のセル変化情報をネットワーク側に報告するステップと、
前記ＵＥが、前記ネットワーク側より前記セル変化情報に基づいて確定された、最適化されたパラメータを受信し、かつ前記最適化されたパラメータに基づいてパラメータを設定するステップとを含む。
【００１１】
ここで、前記セル変化情報は、
前記ＵＥのプリセット時間内での切り替え回数とセル再選択回数との和と、 
前記ＵＥのプリセット時間内での切り替え回数とセル再選択回数との和がプリセット回数閾値を超えるかどうかと、
前記ＵＥの切り替えとセル再選択の頻度に対応する頻度レベルと、
前記ＵＥの切り替えとセル再選択の頻度がプリセット頻度閾値を超えるかどうかと、
前記ＵＥが経過したセルの識別子と当該セル内での常駐時間とを少なくとも１つ含む。
【００１２】
ここで、前記プリセット時間とプリセット回数閾値、又は前記頻度レベル、又は前記頻度閾値は、
前記ＵＥが、前記ネットワーク側から送信された、前記プリセット時間とプリセット回数閾値、又は前記頻度レベル、又は前記プリセット頻度閾値がキャリーされたシステムメッセージ、無線リソース制御（Ｒａｄｉｏ  Ｒｅｓｏｕｒｃｅ  Ｃｏｎｔｒｏｌ：以下、ＲＲＣと称する）シグナリング、又はメディアアクセス層制御要素（Ｍｅｄｉｕｍ  Ａｃｃｅｓｓ  Ｃｏｎｔｒｏｌ  Ｃｏｎｔｒｏｌ  Ｅｌｅｍｅｎｔ：以下、ＭＡＣ  ＣＥと称する）を受信し、対応する設定を行う方式と、
前記ＵＥが、前記ネットワーク側と、事前に、前記プリセット時間とプリセット回数閾値、又は前記頻度レベル、又は前記プリセット頻度閾値を約束（アレンジ）する方式とのうちの少なくともいずれか一つによって設定される。
【００１３】
ここで、前記ＵＥがＵＥ自体のセル変化情報をネットワーク側に報告することは、
前記ＵＥが、前記セル変化情報を無線リソース制御（Ｒａｄｉｏ  Ｒｅｓｏｕｒｃｅ  Ｃｏｎｔｒｏｌ：以下、ＲＲＣと称する）シグナリング又はメディアアクセス層制御要素（Ｍｅｄｉｕｍ  Ａｃｃｅｓｓ  Ｃｏｎｔｒｏｌ  Ｃｏｎｔｒｏｌ  Ｅｌｅｍｅｎｔ：以下、ＭＡＣ  ＣＥと称する）にキャリーして、前記ネットワーク側に報告することを含む。
【００１４】
ＵＥの移動性パラメータを報告する方法は、
ネットワーク側が、ＵＥから送信されたセル変化情報を受信し、前記セル変化情報に基づいて、前記ＵＥの移動速度レベルを確定し、かつ前記移動速度レベルに基づいて、前記ＵＥのパラメータを最適化し、最適化されたパラメータを前記ＵＥに送信することを含む。
【００１５】
ここで、前記セル変化情報は、
前記ＵＥのプリセット時間内での切り替え回数とセル再選択回数との和と、
前記ＵＥのプリセット時間内での切り替え回数とセル再選択回数との和がプリセット回数閾値を超えるかどうかと、
前記ＵＥの切り替えとセル再選択の頻度と、
前記ＵＥの切り替えとセル再選択の頻度に対応する頻度レベルと、
前記ＵＥの切り替えとセル再選択の頻度がプリセット頻度閾値を超えるかどうかと、
前記ＵＥが経過したセルの識別子と当該セル内での常駐時間とを少なくとも１つ含む。
【００１６】
ここで、前記セル変化情報に基づいて前記ＵＥの移動速度レベルを確定することは、
前記ネットワーク側が、前記ＵＥによって報告されたプリセット時間内の切り替えとセル再選択回数の和に基づいて、前記ＵＥの移動速度レベルを確定すること、又は、
前記ネットワーク側が、前記ＵＥによって報告されたプリセット時間内での切り替えとセル再選択の回数の和がプリセット回数閾値を超えるかどうかを示す情報に基づいて、前記ＵＥの移動速度レベルを確定すること、又は、
前記ネットワーク側が、前記ＵＥによって報告された切り替えとセル再選択の頻度に基づいて、前記ＵＥの移動速度レベルを確定すること、又は、
前記ネットワーク側が、前記ＵＥによって報告された切り替えとセル再選択の頻度に対応する頻度レベルに基づいて、前記ＵＥの移動速度レベルを確定すること、又は、
前記ネットワーク側が、前記ＵＥによって報告された切り替えとセル再選択の頻度がプリセット頻度の閾値を超えるかどうかを示す情報に基づいて、前記ＵＥの移動速度レベルを確定すること、又は、
前記ネットワーク側が前記ＵＥによって報告されたその経過したセルの識別子と対応するセルでの常駐時間に基づいて、前記ＵＥの移動速度レベルを確定することを含む。
【００１７】
ここで、前記最適化されたパラメータを前記ＵＥに送信することは、
前記ネットワーク側が、最適化されたパラメータを、システムメッセージ、ＲＲＣシグナリング又はＭＡＣ  ＣＥにキャリーして、前記ＵＥに送信することを含む。
【００１８】
ＵＥは、
前記ＵＥ自体のセル変化情報を、ネットワーク側に報告するように設定される報告ユニットと、
前記ネットワーク側が、前記セル変化情報に基づいて確定した、最適化されたパラメータを受信するように設定される受信ユニットと、
前記最適化されたパラメータに基づいて、前記ＵＥに対してパラメータ設定を行うように設定される設定ユニットと、を備える。
【００１９】
ここで、前記セル変化情報は、
前記ＵＥのプリセット時間内での切り替え回数とセル再選択回数との和と、
前記ＵＥのプリセット時間内での切り替え回数とセル再選択回数との和がプリセット回数閾値を超えるかどうかと、
前記ＵＥの切り替えとセル再選択の頻度と、
前記ＵＥの切り替えとセル再選択の頻度に対応する頻度レベルと、
前記ＵＥの切り替えとセル再選択の頻度がプリセット頻度閾値を超えるかどうかと、
前記ＵＥが経過したセルの識別子と当該セル内での常駐時間とを少なくとも１つ含む。
【００２０】
ここで、前記報告ユニットは、さらに、前記セル変化情報をＲＲＣシグナリング又はＭＡＣ  ＣＥにキャリーして前記ネットワーク側に報告するように設定される。
【００２１】
ネットワーク装置は、
ＵＥによって送信された前記セル変化情報を受信するように設定される受信ユニットと、
前記セル変化情報に基づいて、前記ＵＥの移動速度レベルを確定するように設定される確定ユニットと、
前記移動速度レベルに基づいて、前記ＵＥのパラメータを最適化するように設定される最適化ユニットと、
最適化されたパラメータを前記ＵＥに送信するように設定される送信ユニットと、を備える。
【００２２】
ここで、前記確定ユニットは、さらに、
前記ＵＥによって報告された、プリセット時間内での切り替えとセル再選択回数の和に基づいて、前記ＵＥの移動速度レベルを確定し、又は、
前記ＵＥによって報告された、プリセット時間内の切り替えとセル再選択回数の和がプリセット回数閾値を超えるかどうかを示す情報に基づいて、前記ＵＥの移動速度レベルを確定し、又は、
前記ＵＥによって報告された切り替えとセル再選択の頻度に基づいて、前記ＵＥの移動速度レベルを確定し、又は、
前記ＵＥによって報告された切り替えとセル再選択の頻度に対応する頻度レベルに基づいて、前記ＵＥの移動速度レベルを確定し、又は、
前記ＵＥによって報告された切り替えとセル再選択の頻度がプリセット頻度閾値を超えるかどうかを示す情報に基づいて、前記ＵＥの移動速度レベルを確定し、又は、
前記ＵＥによって報告された、その経過したセルの識別子と対応するセルでの常駐時間に基づいて、前記ＵＥの移動速度レベルを確定するように設定される。
【００２３】
ここで、送信ユニットは、さらに、最適化された前記ＵＥの移動性関連パラメータをシステムメッセージ、ＲＲＣシグナリング又はＭＡＣ  ＣＥにキャリーして前記ＵＥに送信するように設定される。
【００２４】
ＵＥの移動性パラメータを報告するシステムは、上述したＵＥ及び上述したネットワーク装置を備える。
【００２５】
本発明において、ＵＥがＵＥ自体のセル変化情報をネットワーク側に報告し、ネットワーク側がセル変化情報に基づいてＵＥの最適化のパラメータを確定し、かつ最適化されたパラメータをＵＥに送信し、ＵＥが前記最適化されたパラメータに基づいて関連パラメータを設定する。このように、ネットワーク側は、ＵＥの移動性関連情報を把握することができ、それによってＵＥの移動性関連パラメータを合理的に設定し、ＵＥの消費電力及びネットワーク側に対するシグナリングとリソースの使用圧力を効果的に減少させる。
【図面の簡単な説明】
【００２６】
【図１】本発明の実施例１に係るＵＥの移動性パラメータを報告する方法のフローチャートである。
【図２】本発明の実施例２に係るＵＥの移動性パラメータを報告する方法のフローチャートである。
【図３】本発明の実施例３に係るＵＥの移動性パラメータを報告する方法のフローチャートである。
【図４】本発明の実施例に係るＵＥの構成を示す図である。
【図５】本発明の実施例に係るネットワーク装置の構成を示す図である。
【発明を実施するための形態】
【００２７】
本発明の基本的な思想は、ＵＥがＵＥ自体のセル変化情報をネットワーク側に報告し、ネットワーク側がセル変化情報に基づいてＵＥの最適化されたパラメータを確定し、かつ最適化されたパラメータをＵＥに送信し、ＵＥが前記最適化されたパラメータに基づいて関連パラメータを設定することである。
【００２８】
本発明において、ネットワーク側が、基地局、無線ネットワークコントローラーなどのネットワーク要素を含む。
【００２９】
実施例１
図１は、本発明の実施例１に係るＵＥの移動性パラメータを報告する方法のフローチャートであり、図１に示すように、この例のＵＥの移動性パラメータを報告する方法は、以下のステップを含む。
【００３０】
ステップ１０１、ＵＥは、ＵＥ自体が経験したセル変化情報を記録してネットワーク側に報告する。
【００３１】
本ステップにおいて、ＵＥによって記録されたセル変化情報は、ＵＥのプリセット時間内での切り替えとセル再選択回数の和、又はＵＥのプリセット時間内での切り替えとセル再選択回数の和がプリセット回数閾値を超えるかどうかを示すフラグビットを含む。
【００３２】
このステップにおいて、前記プリセット時間とプリセット回数閾値は、ＵＥとネットワーク側によって事前に約束（アレンジ）されることができ、又はネットワーク側がシステムメッセージ、無線リソース制御（Ｒａｄｉｏ  Ｒｅｓｏｕｒｃｅ  Ｃｏｎｔｒｏｌ：以下、ＲＲＣと称する）シグナリング又はメディアアクセス層制御要素（Ｍｅｄｉｕｍ  Ａｃｃｅｓｓ  Ｃｏｎｔｒｏｌ  Ｃｏｎｔｒｏｌ  Ｅｌｅｍｅｎｔ：以下、ＭＡＣ  ＣＥと称する）によって前記プリセット時間とプリセット回数閾値をＵＥに送信して、ＵＥが対応する設定を実現する。
【００３３】
このステップにおいて、ＵＥによって記録されたセル変化情報がＵＥのプリセット時間内での切り替えとセル再選択回数の和である場合、ＵＥからネットワーク側に報告された内容は、切り替えとセル再選択の具体的な回数値である。ＵＥによって記録されセル変化情報が、ＵＥのプリセット時間内での切り替えとセル再選択回数の和がプリセット回数閾値を超えるかどうかを示すフラグビットである場合、本実施例では当該フラグビットをビット情報で示し、例えば、「０」は回数合計が閾値を超えないことを示し、「１」は回数合計が閾値を超えることを示す。本実施例において、ＵＥから報告されたフラグビットは、「１」であると仮定する。
【００３４】
本実施例において、ＵＥは、無線リソース制御接続確立要求メッセージ（ＲＲＣ  Ｃｏｎｎｅｃｔｉｏｎ  Ｒｅｑｕｅｓｔ  Ｍｅｓｓａｇｅ）を使用して、前記セル変化情報をキャリーしてネットワーク側に送信する。
【００３５】
ステップ１０２、ネットワーク側は、ＵＥから送信されたセル変化情報を受信する。
【００３６】
ステップ１０３、ネットワーク側は、受信されたセル変化情報に基づいて、ＵＥの移動速度レベルを確定する。
【００３７】
本実施例において、ネットワーク側によって設定されたＵＥの移動速度レベルは、高速移動と低速移動の２つを含む。
【００３８】
本実施例において、ＵＥによって送信されたセル変化情報の内容が、プリセット時間内での切り替えとセル再選択回数の和である場合、ネットワーク側は、当該回数の具体的な値とネットワーク側によって設定された回数閾値を比較し、
１）ネットワーク側のＵＥ移動速度レベルが高速移動であり、かつＵＥによって報告された回数が回数閾値以上である場合、ネットワーク側は、ＵＥの移動速度レベルが高速移動であると判定し、
２）ネットワーク側のＵＥ移動速度レベルが低速移動であり、かつＵＥによって報告された回数が回数閾値以下である場合、ネットワーク側は、ＵＥの移動速度レベルが低速移動であると判定する。
【００３９】
本実施例において、ＵＥによって送信されたセル変化情報の内容が、ＵＥのプリセット時間内での切り替えとセル再選択回数の和がプリセット回数閾値を超えるかどうかを示すフラグビットである場合、ネットワーク側は、当該フラグビットに基づいてＵＥの移動速度レベルを確定し、
１）ネットワーク側のＵＥ移動速度レベルが高速移動であり、かつＵＥ側のプリセット回数閾値が当該レベルに対応し、ＵＥによって報告されたフラグビットが「１」である場合、ネットワーク側は、ＵＥの移動速度レベルが高速移動であると判定し、
２）ネットワーク側のＵＥ移動速度レベルが低速移動であり、かつＵＥ側のプリセット回数閾値が当該レベルに対応し、ＵＥによって報告されたフラグビットが「０」である場合、ネットワーク側は、ＵＥの移動速度レベルが低速移動であると判定する。
【００４０】
本実施例において、ネットワーク側は、ＵＥによって報告された具体的な回数合計及び／又はフラグビット（「１」）に基づいて、ＵＥの移動速度レベルが高速移動であると確定する。
【００４１】
ステップ１０４、ネットワーク側は、ＵＥの移動速度レベルに基づいて、ＵＥのＲＲＣリリースタイマのタイミングの長さを減少させる。
【００４２】
本実施例において、ＵＥの移動速度レベルが高速移動であるため、ネットワーク側は、ＵＥのＲＲＣリリースタイマを調整し、即ちＵＥが一回のデータ送信又は受信を完了した後にＲＲＣ接続状態を維持する時間の長さを調整して、ＲＲＣリリースタイマのタイミングの長さを減少させる。
【００４３】
実施例２
図２は本発明の実施例２に係るＵＥの移動性パラメータを報告する方法のフローチャートであり、図２に示すように、本例のＵＥの移動性パラメータを報告する方法は、以下のステップを含む。
【００４４】
ステップ２０１、ＵＥは、ＵＥ自体が経験したセル変化情報を記録する。
【００４５】
本実施例において、ＵＥによって記録されたセル変化情報は、ＵＥの切り替えとセル再選択の頻度、ＵＥの切り替えとセル再選択の頻度に対応する頻度レベル、又はＵＥの切り替えとセル再選択の頻度が、プリセット頻度閾値に達するかどうかを示すフラグビットである。
【００４６】
本実施例において、前記頻度レベル及びプリセット頻度閾値は、ＵＥとネットワーク側によって事前に約束（アレンジ）されることができ、又はネットワーク側がシステムメッセージ、ＲＲＣシグナリング又はＭＡＣ  ＣＥによって前記頻度レベル及びプリセット頻度閾値をＵＥに通知し、ＵＥが対応する設定を行う。
【００４７】
本実施例において、ＵＥの切り替えとセル再選択の頻度は、単位時間内にＵＥが経験した切り替えとセル再選択の回数の合計である。
【００４８】
ＵＥによって記録されたセル変化情報の内容によって、ＵＥからネットワーク側に報告された内容は、以下の内容のいずれか１つを含むことができる。
【００４９】
１）ＵＥによって記録されたセル変化情報が、ＵＥの切り替えとセル再選択の回数の合計である場合、ＵＥによってネットワーク側に報告されたセル変化情報は、具体的な頻度値である。
【００５０】
２）ＵＥによって記録されたセル変化情報が、ＵＥの切り替えとセル再選択の頻度に対応する頻度レベルである場合、ＵＥがネットワーク側によって設定された又は事前にネットワーク側と約束（アレンジ）した頻度レベルに基づいて、ＵＥによって記録された具体的な頻度値に対応する頻度レベルを見つけてネットワーク側に報告する。
【００５１】
(i)頻度レベルが１つだけの具体的な頻度レベル、例えば高頻度又は低頻度を含み、かつＵＥによって記録された具体的な頻度値が当該頻度レベルに属する場合、ネットワーク側に当該頻度レベルを報告する。
【００５２】
(ii)頻度レベルが２つの具体的な頻度レベル、例えば高頻度と低頻度を含む場合、ＵＥは、ＵＥによって記録された具体的な頻度値が属する頻度レベルを見つけてネットワーク側に報告する。
【００５３】
(iii)頻度レベルが３つの具体的な頻度レベル、例えば高頻度、中頻度と低頻度を含む場合、ＵＥは、ＵＥによって記録された具体的な頻度値が属する頻度レベルを見つけてネットワーク側に報告する。
【００５４】
３）ＵＥによって記録されたセル変化情報が、ＵＥの切り替えとセル再選択の頻度がプリセット頻度閾値に達するかどうかを示すフラグビットである場合、ＵＥからネットワーク側に報告された当該具体的なフラグビットは、ビット情報で示されることができ、例えば、「０」は、プリセット頻度閾値を超えないことを示し、「１」は、プリセット頻度閾値を超えることを示す。
【００５５】
本実施例において、ＵＥは、ＲＲＣ接続セットアップコンプリートメッセージ（Ｃｏｎｎｅｃｔｉｏｎ  Ｓｅｔｕｐ  Ｃｏｍｐｌｅｔｅ  Ｍｅｓｓａｇｅ）を使用して、前記セル変化情報をキャリーする。
【００５６】
ステップ２０２、ネットワーク側は、ＵＥから送信されたセル変化情報を受信する。
【００５７】
ステップ２０３、ネットワーク側は、受信されたセル変化情報に基づいてＵＥの移動速度レベルを確定する。
【００５８】
本実施例において、ネットワーク側によって設定されたＵＥの移動速度レベルは、高速移動、中速移動、及び低速移動の３つがある。
【００５９】
本実施例において、ＵＥからネットワーク側に送信されたセル変化情報がＵＥの切り替えとセル再選択の頻度である場合、ネットワーク側は、当該頻度の具体的な値を、ネットワーク側によって設定された頻度閾値と比較し、ここで、頻度閾値に含む内容は、上限頻度閾値と下限頻度閾値を含む。
【００６０】
１）ＵＥによって報告された頻度の具体的な値が、ネットワーク側によって設定された上限頻度閾値以上である場合、ネットワーク側は、ＵＥの移動速度レベルが高速移動であると確定する。
【００６１】
２）ＵＥによって報告された頻度の具体的な値が、ネットワーク側によって設定された下限頻度閾値以下である場合、ネットワーク側は、ＵＥの移動速度レベルが低速移動であると確定する。
【００６２】
３）ＵＥによって報告された頻度の具体的な値が、ネットワーク側によって設定された上限頻度閾値以下であり、かつ下限頻度閾値より大きい場合、ネットワーク側は、ＵＥの移動速度レベルが中速移動であると確定する。
【００６３】
本実施例において、ＵＥによってネットワーク側に送信されたセル変化情報が、ＵＥの切り替えとセル再選択の頻度に対応する頻度レベルである場合、
１）ＵＥによって報告された頻度レベルが高頻度である場合、ネットワーク側は、ＵＥの移動速度レベルが高速移動であると確定する。
【００６４】
２）ＵＥによって報告された頻度レベルが中頻度である場合、ネットワーク側は、ＵＥの移動速度レベルが中速移動であると確定する。
【００６５】
３）ＵＥによって報告された頻度レベルが低頻度である場合、ネットワーク側は、ＵＥの移動速度レベルが低速移動であると確定する。
【００６６】
本実施例において、ＵＥからネットワーク側に送信されたセル変化情報が、ＵＥの切り替えとセル再選択の頻度がプリセット頻度閾値に達するかどうかを示すフラグビットである場合、
１）ＵＥ側のプリセット頻度閾値に対応するＵＥ移動速度レベルが高速移動である場合、フラグビットが「１」であるとき、ネットワーク側は、当該ＵＥの移動速度レベルが高速移動であると確定する。
【００６７】
２）ＵＥ側のプリセット頻度閾値に対応するＵＥ移動速度レベルが中速移動である場合、フラグビットが「０」であるとき、ネットワーク側は、当該ＵＥの移動速度レベルが中速移動であると確定する。
【００６８】
３）ＵＥ側のプリセット頻度閾値に対応するＵＥ移動速度レベルが低速移動である場合、フラグビットが「０」であるとき、ネットワーク側は、当該ＵＥの移動速度レベルが低速移動であると確定する。
【００６９】
本実施例において、ネットワーク側は、ＵＥによって報告された具体的な頻度、頻度レベル又はフラグビットに基づいて、ＵＥの移動速度レベルが低速移動であると確定する。
【００７０】
ステップ２０４、ネットワーク側は、ＵＥの移動速度レベルに基づいて、ＵＥのＤＲＸサイクルを最適化する。
【００７１】
本実施例において、ＵＥの移動速度レベルが低速移動であるため、ネットワーク側がＵＥの不連続受信（Ｄｉｓｃｏｎｔｉｎｕｏｕｓ  Ｒｅｃｅｐｔｉｏｎ：以下、ＤＲＸと称する）サイクル長さを調整し、即ちＵＥのＤＲＸサイクル長さを増加し、かつＭＡＣ  ＣＥ、無線リソース制御接続再構成メッセージ（ＲＲＣ  Ｃｏｎｎｅｃｔｉｏｎ  Ｒｅｃｏｎｆｉｇｕｒａｔｉｏｎ  Ｍｅｓｓａｇｅ）、又はシステムメッセージによって、最適化されたＤＲＸパラメータをＵＥに送信する。ＵＥは、ネットワーク側の設定に基づいてＤＲＸサイクル長さに対する設定を実現する。
【００７２】
実施例３
図３は、本発明の実施例３に係るＵＥの移動性パラメータを報告する方法のフローチャートであり、図３に示すように、本例のＵＥの移動性パラメータを報告する方法は、以下のステップを含む。
【００７３】
ステップ３０１、ＵＥは、ＵＥ自体が経験したセル変化情報を記録する。
【００７４】
本実施例において、ＵＥによって記録されたセル変化情報は、ＵＥが経過したセルの識別子と当該セルでの常駐時間である。
【００７５】
本実施例において、ＵＥは、ＲＲＣ接続セットアップコンプリートメッセージ（Ｃｏｎｎｅｃｔｉｏｎ  Ｓｅｔｕｐ  Ｃｏｍｐｌｅｔｅ  Ｍｅｓｓａｇｅ）を使用して前記セル変化情報をキャリーする。
【００７６】
ステップ３０２、ネットワーク側は、ＵＥによって送信されたセル変化情報を受信する。
【００７７】
ステップ３０３、ネットワーク側は、受信されたセル変化情報に基づいて、ＵＥの移動速度レベルを確定する。
【００７８】
本実施例において、ネットワーク側によって設定されたＵＥ移動速度レベルは、高速移動と低速移動の２つがある。
【００７９】
本実施例において、ネットワーク側は、ＵＥによって報告されたセルの識別子と対応するセルでの常駐時間に基づいて、セルの半径と組み合わせて、ＵＥの移動速度を計算することができ、当該移動速度を、ネットワーク側によって設定された速度閾値と比較する。ネットワーク側によって計算されたＵＥの移動速度がネットワーク側によって設定された速度閾値より大きい場合、ネットワーク側は、当該ＵＥの移動速度レベルが高速移動であると確定し、それ以外の場合は、低速移動であると確定する。
【００８０】
本実施例において、ネットワーク側は、ＵＥによって報告されたセルの識別子と当該セルでの常駐時間に基づいて、ＵＥの移動速度レベルが低速移動であると確定する。
【００８１】
ステップ３０４、ネットワーク側は、ＵＥの移動速度レベルに基づいて、ＵＥのＲＲＣリリースタイマのタイミングの長さを延長する。
【００８２】
本実施例において、ＵＥの移動速度レベルが低速移動であるため、ネットワーク側は、ＵＥのＲＲＣリリースタイマを調整し、即ちＵＥが一回のデータ送信又は受信を完了した後にＲＲＣ接続状態を維持する時間長さを調整して、ＲＲＣリリースタイマの長さを延長する。
【００８３】
図４は、本発明の実施例に係るＵＥの構成を示す図であり、図４に示すように、本発明の実施例に係るＵＥは、
前記ＵＥのＵＥ自体のセル変化情報をネットワーク側に報告するように設定される報告ユニット４０と、
前記ネットワーク側が前記セル変化情報に基づいて確定した、最適化されたパラメータを受信するように設定される受信ユニット４１と、
前記最適化されたパラメータに基づいて、前記ＵＥに対してパラメータ設定を行うように設定される設定ユニット４２とを備える。
【００８４】
ここで、前記セル変化情報は、
前記ＵＥのプリセット時間内での切り替え回数とセル再選択回数との和と、前記ＵＥのプリセット時間内での切り替え回数とセル再選択回数との和がプリセット回数閾値を超えるかどうかと、前記ＵＥの切り替えとセル再選択の頻度と、前記ＵＥの切り替えとセル再選択の頻度に対応する頻度レベルと、前記ＵＥの切り替えとセル再選択の頻度がプリセット頻度閾値を超えるかどうかと、前記ＵＥが経過したセルの識別子と当該セル内での常駐時間とを少なくとも１つ含む。
【００８５】
ここで、前記報告ユニット４０は、さらに、前記セル変化情報をＲＲＣシグナリング又はＭＡＣ  ＣＥにキャリーして前記ネットワーク側に報告するように設定される。
【００８６】
本発明において、ネットワーク側は、基地局、無線ネットワークコントローラーなどのネットワーク要素である。
【００８７】
本分野の当業者にとって、図４に示すＵＥにおける各処理ユニットの実現機能は、上述したＵＥの移動性パラメータを報告する方法の関連記述を参照して理解することができると理解すべきである。本分野の当業者にとって、図４に示すＵＥにおける各処理ユニットの機能がプロセッサに実行されているプログラムによって実現されることができ、具体的な論理回路によって実現されることもできると理解すべきである。
【００８８】
図５は本発明の実施例に係るネットワーク装置の構成を示す図であり、図５に示すように、本発明の実施例に係るネットワーク装置は、
ＵＥから送信されたセル変化情報を受信するように設定される受信ユニット５０と、
前記セル変化情報に基づいて前記ＵＥの移動速度レベルを確定するように設定される確定ユニット５１と、
前記移動速度レベルに基づいて前記ＵＥのパラメータを最適化するように設定される最適化ユニット５２と、
最適化されたパラメータを前記ＵＥに送信するように設定される送信ユニット５３とを備える。
【００８９】
ここで、前記確定ユニット５１は、さらに、
前記ＵＥによって報告されたプリセット時間内での切り替えとセル再選択回数の和に基づいて、前記ＵＥの移動速度レベルを確定し、又は
前記ＵＥによって報告されたプリセット時間内の切り替えとセル再選択の回数の和がプリセット回数閾値を超えるかどうかを示す情報に基づいて、前記ＵＥの移動速度レベルを確定し、又は、
前記ＵＥによって報告された切り替えとセル再選択の頻度に基づいて、前記ＵＥの移動速度レベルを確定し、又は、
前記ＵＥによって報告された切り替えとセル再選択の頻度に対応する頻度レベルに基づいて、前記ＵＥの移動速度レベルを確定し、又は、
前記ＵＥによって報告された切り替えとセル再選択の頻度がプリセット頻度の閾値を超えるかどうかを示す情報に基づいて、前記ＵＥの移動速度レベルを確定し、又は、
前記ＵＥによって報告された、その経過したセルの識別子と対応するセルでの常駐時間に基づいて、前記ＵＥの移動速度レベルを確定するように設定される。
【００９０】
ここで、送信ユニット５３は、さらに、最適化された前記ＵＥの移動性関連パラメータをシステムメッセージ、ＲＲＣシグナリング又はＭＡＣ  ＣＥにキャリーして前記ＵＥ送信するように設定される。
【００９１】
本発明において、ネットワーク装置は、基地局、無線ネットワークコントローラーなどのネットワーク要素である。
【００９２】
本分野の当業者にとって、図５に示すネットワーク装置における各処理ユニットの実現機能は、上述したＵＥの移動性パラメータを報告する方法の関連記述を参照して理解することができると理解すべきである。本分野の当業者にとって、図５に示すネットワーク装置における各処理ユニットの機能がプロセッサ上に実行されているプログラムによって実現されることができ、具体的な論理回路によって実現されることもできる。
【００９３】
本発明には、図４に示すＵＥ及び図５に示すネットワーク装置を含むＵＥの移動性パラメータを報告するシステムが記載されている。
【００９４】
本分野の当業者にとって、本発明に係るＵＥの移動性パラメータを報告するシステムが従来のネットワークシステムアーキテクチャに基づいて実現される技術スキームであり、ネットワークアーキテクチャ自体を改善せず、そのうちの一部のネットワーク要素の機能のみに対して改善し、即ちそのうちのＵＥ及びネットワーク側と関連するネットワーク要素、例えば基地局、無線ネットワークコントローラーなどのコアネットワーク装置の機能に対して対応する改善を行うと理解すべきである。上述したＵＥの移動性パラメータを報告する方法において、その改善部分を詳細に記述したので、ここでは繰り返さない。
【００９５】
上述した内容は、本発明の最適的な実施例に過ぎなく、本発明の保護範囲を制限するためのものではない。
【産業上の利用可能性】
【００９６】
本発明において、ＵＥがＵＥ自体のセル変化情報をネットワーク側に報告し、ネットワーク側がセル変化情報に基づいて、ＵＥの最適化されたパラメータを確定し、かつ最適化されたパラメータをＵＥに送信し、ＵＥが前記最適化されたパラメータに基づいて関連パラメータの設定を行う。このように、ネットワーク側は、ＵＥの移動性関連情報を把握することができ、それによってＵＥの移動性関連パラメータの設定を合理的に行い、ＵＥの消費電力及びネットワーク側に対するシグナリングとリソースの使用圧力を効果的に減少させることができる。
【図１】
0005925385.tif 000002
【図２】
0005925385.tif 000003
【図３】
0005925385.tif 000004
【図４】
0005925385.tif 000005
【図５】
0005925385.tif 000006